(57)【特許請求の範囲】
【請求項１】
磁気記録テープに情報を記録／再生するための機構部および電子回路部と、前記機構部および前記電子回路部を搭載するベースと、前記機構部、前記電子回路部、および前記ベースの少くとも一部を覆うシールドとを有し、前記シールドは、前記ベースの左右に取り付けられる左および右サイドプレートを備えている磁気記録テープドライブであって、パーソナルコンピュータまたは周辺記憶装置のケーシング内に取り付け可能な磁気記録テープドライブにおいて、
前記左および前記右サイドプレートのうちの一方は、前記ベースに形成された第１の雌ネジ部に対してネジ止めするための第１の空き孔部を備えた第１のプレート片と、前記ベースに形成された第２の雌ネジ部に対してネジ止めするための第２の空き孔部ならびにパーソナルコンピュータまたは周辺記憶装置にネジ止めするための第３の雌ネジ部を備えた第２のプレート片とによって構成されており、
前記第１および前記第２のプレート片は、相互間に隙間が置かれていることを特徴とする磁気記録テープドライブ。
【請求項２】
前記第２のプレート片の前記第２の空き孔部は、前記ベースの奥行方向に平行な方向において前記第３の雌ネジ部から可及的離れた位置に形成されている請求項１に記載の磁気記録テープドライブ。
【請求項３】
前記第１および前記第２のプレート片のうちの少くとも一方は、前記第１および前記第２のプレート片のうちの他方に対して係合する係合片を備えている請求項１または２に記載の磁気記録テープドライブ。
【請求項４】
前記第２のプレート片は、前記第１のプレート片よりも低い剛性を有する請求項１乃至３のいずれかに記載の磁気記録テープドライブ。
【発明の詳細な説明】
【０００１】
【発明の属する技術分野】
本発明は、情報を記録／再生するための磁気記録テープを駆動するための磁気記録テープドライブに関し、特に、パーソナルコンピュータまたは周辺記憶装置のケーシング内に取り付け可能な磁気記録テープドライブに関する。
【０００２】
【従来の技術】
この種のドライブとしては、例えば、ＤＬＴ（Digital Linear Tape）やＬＴＯ（Linear Tape Open）などのリニアテープストレージドライブがある。磁気記録テープドライブは、パーソナルコンピュータなどのコンピュータシステムのケーシング内もしくはコンピュータシステムに接続される周辺記憶装置のケーシング内に取り付けられ、コンピュータシステムのバックアップ用として使用されることが多い。磁気記録テープドライブは、単一の磁気記録テープドライブ（サプライ磁気記録テープドライブ）を持つテープカートリッジが装着される（例えば特開平９−１９８６３９号公報参照）。必要に応じ、テープカートリッジのサプライ磁気記録テープドライブから磁気テープが引き出され、磁気ヘッドを介して、高速で回転する磁気記録テープドライブに巻き取られる。尚、テープカートリッジの一例は特開２０００−１２９４９１号公報に開示されている。
【０００３】
この種の磁気記録テープドライブの一例（ＤＬＴドライブ）を、図１〜図４に示す。図１は磁気記録テープドライブ１０の多くの部分を上右側から見た斜視図、図２は磁気記録テープドライブ１０の多くの部分を下左側から見た斜視図、図３は周辺記憶装置に収容されつつある磁気記録テープドライブ１０を上右側から見た斜視図、そして、図４は周辺記憶装置に収容された磁気記録テープドライブ１０を上右側から見た斜視図である。
【０００４】
図１〜図４を参照して、磁気記録テープドライブ１０は、磁気記録テープに情報を記録／再生するためのテイクアップリール３０、第１のリールモータ４０、第２のリールモータ６０、および磁気ヘッド８０等の機構部および電子回路部（図示せず）と、機構部および電子回路部を搭載するベース２０と、機構部、電子回路部、およびベース２０の少くとも一部を覆うシールドと、テープカートリッジの出し入れを行う孔部が形成されたフロントベゼル２５とを有している。ベース２０は、アルミニウムを鋳造して形成されている。シールドは、ＳＥＣＣ材板金をプレス加工して形成されている。
【０００５】
シールドは、左サイドプレート５１、右サイドプレート５２、バックサイドプレート５３、上プレート７１、および下プレートを有している。尚、上プレート７１は、図３のみに示し、下プレートは、図１〜図４のいずれにも示していない。
【０００６】
磁気記録テープドライブ１０は、パーソナルコンピュータまたは周辺記憶装置のケーシング内に取り付け可能である。周辺記憶装置のケーシングは、下ケーシング９１、上下ケーシング９１、およびフロントパネル９３とを有している。
【０００７】
左サイドプレート５１は、ベース２０の側面に形成された雌ネジ部（図示せず）に対してネジ止めするための２つの空き孔部５１１と、パーソナルコンピュータまたは周辺記憶装置のケーシングの側面にネジ止めするための２つの雌ネジ部５１２と、パーソナルコンピュータまたは周辺記憶装置の下ケーシング９１の底面の空き孔９１１を介して磁気記録テープドライブ１０を下ケーシング９１にネジ止めするための２つの雌ネジ部５１３とを備えている。右サイドプレート５２も、左サイドプレート５１と同様に、ベース２０の側面に形成された雌ネジ部（図示せず）に対してネジ止めするための２つの空き孔部５２１と、パーソナルコンピュータまたは周辺記憶装置のケーシングの側面にネジ止めするための２つの雌ネジ部５２２と、パーソナルコンピュータまたは周辺記憶装置の下ケーシング９１の底面の空き孔９１１を介して磁気記録テープドライブ１０を下ケーシング９１にネジ止めするための２つの雌ネジ部５２３とを備えている。本例の場合には、パーソナルコンピュータまたは周辺記憶装置の下ケーシング９１の底面の４つの空き孔９１１を介して４本のネジを雌ネジ部５１３および５２３に螺入することで、磁気記録テープドライブ１０がパーソナルコンピュータまたは周辺記憶装置のケーシング内に取り付けられる。
【０００８】
【発明が解決しようとする課題】
図１〜図４に示した例をも含め、従来の磁気記録テープドライブは、ベースに対してリジッドに固定された左および右サイドプレートをパーソナルコンピュータまたは周辺記憶装置のケーシングに対してリジッドに固定されるため、ケーシングに形成されている複数の空き孔のピッチが設計値からずれていたり、ケーシングに歪が生じている場合、ベースにストレスが加わり、ベースに歪が生ずる虞がある。
【０００９】
ベースに歪が生じた場合、磁気記録テープドライブの磁気ヘッドと磁気記録テープのトラックとのトラッキング方向（テープの幅方向）の相対位置がずれる。トラッキング方向のずれが生じると、情報の記録および再生が正常になされない。
【００１０】
それ故、本発明の技術的課題は、パーソナルコンピュータまたは周辺記憶装置に取り付ける際に生じ得る不要なストレスをベースよりも前段階の構成によって吸収し、ベースの歪ならびにこれに起因する情報の記録および再生への悪影響を防止できる磁気記録テープドライブを提供することである。
【００１１】
【課題を解決するための手段】
本発明によれば、磁気記録テープに情報を記録／再生するための機構部および電子回路部と、前記機構部および前記電子回路部を搭載するベース（２０´）と、前記機構部、前記電子回路部、および前記ベースの少くとも一部を覆うシールドとを有し、前記シールドは、前記ベースの左右に取り付けられる左および右サイドプレート（５４、５２）を備えている磁気記録テープドライブであって、パーソナルコンピュータまたは周辺記憶装置のケーシング内に取り付け可能な磁気記録テープドライブにおいて、前記左および前記右サイドプレートのうちの一方（５４）は、前記ベースに形成された第１の雌ネジ部に対してネジ止めするための第１の空き孔部（５４６）を備えた第１のプレート片（５４１）と、前記ベースに形成された第２の雌ネジ部に対してネジ止めするための第２の空き孔部（５４３）ならびにパーソナルコンピュータまたは周辺記憶装置にネジ止めするための第３の雌ネジ部（５４４、５４５）を備えた第２のプレート片（５４２）とによって構成されており、前記第１および前記第２のプレート片（５４１、５４２）は、相互間に隙間が置かれていることを特徴とする磁気記録テープドライブが得られる。
【００１２】
本発明によればまた、前記第２のプレート片の前記第２の空き孔部（５４３）は、前記ベースの奥行方向（Ｄ）に平行な方向において前記第３の雌ネジ部（５４４、５４５）から可及的離れた位置に形成されている前記磁気記録テープドライブが得られる。
【００１３】
本発明によればさらに、前記第１および前記第２のプレート片のうちの少くとも一方（５４１）は、前記第１および前記第２のプレート片のうちの他方に対して係合する係合片（５４７）を備えている前記磁気記録テープドライブが得られる。
【００１４】
また、本発明によれば、前記第２のプレート片（５４２）は、前記第１のプレート片（５４１）よりも低い剛性を有する前記磁気記録テープドライブが得られる。
【００１５】
尚、上記括弧内の符号は、本発明の理解を容易にするために付したものであり、一例に過ぎず、これらに限定されるものではない。
【００１６】
【発明の実施の形態】
以下、図面を参照して本発明の実施の形態による磁気記録テープドライブについて説明する。
【００１７】
本発明の実施の形態による磁気記録テープドライブ（ＤＬＴドライブ）を、図５〜図８に示す。図５は磁気記録テープドライブ１０´の要部を上右側から見た斜視図、図６は磁気記録テープドライブ１０´の要部を下左側から見た斜視図、図７は周辺記憶装置に収容されつつある磁気記録テープドライブ１０´を上右側から見た斜視図、そして、図８は周辺記憶装置に収容されつつある磁気記録テープドライブ１０´を下右側から見た斜視図である。
【００１８】
図５〜図８を参照して、磁気記録テープドライブ１０´は、図１〜図４に示した磁気記録テープドライブと同様に、磁気記録テープに情報を記録／再生するための機構部（図示せず）および電子回路部（図示せず）と、機構部および電子回路部を搭載するベース２０´と、機構部、電子回路部、およびベース２０´の少くとも一部を覆うシールドと、テープカートリッジの出し入れを行う孔部が形成されたフロントベゼル２５（図６）とを有している。ベース２０´は、アルミニウムを鋳造して形成されている。シールドは、ＳＥＣＣ材板金をプレス加工して形成されている。
【００１９】
シールドは、左サイドプレート５４、右サイドプレート５２、バックサイドプレート５３、上プレート、および下プレートを有している。尚、上プレートおよび下プレートは、図５〜図８のいずれにも示していない。
【００２０】
磁気記録テープドライブ１０´は、パーソナルコンピュータまたは周辺記憶装置のケーシング内に取り付け可能である。周辺記憶装置のケーシングは、下ケーシング９１、上ケーシング９２、およびフロントパネル（図示せず）とを有している。
【００２１】
右サイドプレート５２は、従来例と同様に、ベース２０´の側面に形成された雌ネジ部（図示せず）に対してネジ止めするための２つの空き孔部５２１と、パーソナルコンピュータまたは周辺記憶装置のケーシングの側面にネジ止めするための２つの雌ネジ部５２２と、パーソナルコンピュータまたは周辺記憶装置の下ケーシング９１の底面の空き孔９１１を介して磁気記録テープドライブ１０´を下ケーシング９１にネジ止めするための２つの雌ネジ部５２３とを備えている。
【００２２】
一方、左サイドプレート５４は、第１のプレート片５４１と、第２のプレート片５４２とによって構成されている。第１および第２のプレート片５４１および５４２は、相互間に隙間が置かれている。
【００２３】
第１のプレート片５４１は、ベース２０´の側面に形成された雌ネジ部（図示せず）に対してネジ止めするための２つの第１の空き孔部５４６を備えている。
【００２４】
第２のプレート片５４２は、ベース２０´の上面に形成された雌ネジ部（図示せず）に対してネジ止めするための第２の空き孔部５４３と、パーソナルコンピュータまたは周辺記憶装置のケーシングの側面にネジ止めするための２つの第３の雌ネジ部５４４と、パーソナルコンピュータまたは周辺記憶装置の下ケーシング９１の底面の空き孔９１１を介して磁気記録テープドライブ１０´を下ケーシング９１にネジ止めするための２つの第３の雌ネジ部５４５とを備えている。
【００２５】
第２のプレート片５４２の第２の空き孔部５４３は、ベース２０´の奥行方向Ｄに平行な方向において、２つの第３の雌ネジ部５４４（５４５）から可及的離れた位置に形成されている。即ち、第２の空き孔部５４３は、ベース２０´の奥行方向Ｄに平行な方向において、２つの第３の雌ネジ部５４４（５４５）のほぼ中間位置に形成されている。これによって、ベース２０´の奥行方向Ｄに平行な方向に長く延びた第２のプレート片５４２は、ベース２０´への固定点である第２の空き孔５４３を支点として撓むことが可能である。この結果、第３の雌ネジ部５４４（５４５）を用いて下ケーシング９１に固定される際に生じ得る不要なストレスが、第２のプレート片５４２が撓むことによって吸収され、ベース２０´にまで伝達することがない。
【００２６】
さらに、第１のプレート片５４１は、第２のプレート片５４２に対して係合する係合片５４７を備えている。これによって、過剰な撓みが生じて第２の空き孔５４３周辺を介してベース２０´にまでストレスが伝達することがない。尚、係合片は、第１のプレート片５４１のみに形成するだけではなく、第２のプレート片５４２のみ、もしくは、第１および第２のプレート片５４１および５４２の相互に形成してもよい。
【００２７】
さて、本例の場合には、パーソナルコンピュータまたは周辺記憶装置の下ケーシング９１の底面の４つの空き孔９１１を介して、４本のネジを、雌ネジ部５４５および５２３に螺入することで、磁気記録テープドライブ１０´がパーソナルコンピュータまたは周辺記憶装置のケーシング内に取り付けられる。尚、磁気記録テープドライブ１０´は、側面にも雌ネジ部５４４および５２２を有しているため、取り付け対象に予め設けられている空き孔の位置に応じて、底面止めか側面止めかを選択することができる。
【００２８】
ネジ止めに際し、右サイドプレート５２の雌ネジ部５２３を、左サイドプレート５４の第２のプレート片５４２の雌ネジ部５４５よりも先に締結することが好ましい。こうすることで、取り付ける際に生じ得る不要なストレスが、ベース２０´にリジッドに固定されている右サイドプレート５２を介してベース２０´に直接かかることがなく、第２のプレート片５４２が撓むことによって吸収され、この結果、ストレスが直接ベース２０´に殆どかかることがない。
【００２９】
尚、第２のプレート片５４２は、第１のプレート片５４１よりも低い剛性を有するように、材質や板厚を設定してもよい。
【００３０】
あるいは、第１および第２のプレート片は、両者間に実質的に隙間が置かれるようにするならば、両者を一体に形成してもよい。この場合、第１および第２のプレート片間の連結部分は、組み立て作業に支障が出ない程度に細幅とすることで、第２のプレート片の撓みを可能にすることが好ましい。
【００３１】
【発明の効果】
本発明による磁気記録テープドライブは、パーソナルコンピュータまたは周辺記憶装置に取り付ける際に生じ得る不要なストレスをベースよりも前段階の構成によって吸収し、ベースの歪を防止できると共に、磁気記録テープドライブの磁気ヘッドと磁気記録テープのトラックとのトラッキング方向の相対位置がずれることがなく、情報の記録および再生を正常に行うことができる。
【図面の簡単な説明】
【図１】従来の磁気記録テープドライブの多くの部分を上右側から見た斜視図である。
【図２】従来の磁気記録テープドライブの多くの部分を下左側から見た斜視図である。
【図３】周辺記憶装置に収容されつつある従来の磁気記録テープドライブを上右側から見た斜視図である。
【図４】周辺記憶装置に収容された従来の磁気記録テープドライブを上右側から見た斜視図である。
【図５】本発明の実施の形態による磁気記録テープドライブの要部を上右側から見た斜視図である。
【図６】本発明の実施の形態による磁気記録テープドライブの要部を下左側から見た斜視図である。
【図７】周辺記憶装置に収容されつつある本発明の実施の形態による磁気記録テープドライブを上右側から見た斜視図である。
【図８】周辺記憶装置に収容されつつある本発明の実施の形態による磁気記録テープドライブを下右側から見た斜視図である。
【符号の説明】
１０、１０´  磁気記録テープドライブ
２０、２０´  ベース
３０    テイクアップリール
４０    第１のリールモータ
５１、５４    左サイドプレート
５２    右サイドプレート
５３    バックサイドプレート
６０    第２のリールモータ
７１    上プレート
８０    磁気ヘッド
５１１、５２１、５４３、５４６    空き孔部
５１２、５１３、５２２、５２３、５４４、５４５    雌ネジ部
５４１    第１のプレート片
５４２    第２のプレート片
５４７    係合片
【図１】
0003981812.tif 000002
【図２】
0003981812.tif 000003
【図３】
0003981812.tif 000004
【図４】
0003981812.tif 000005
【図５】
0003981812.tif 000006
【図６】
0003981812.tif 000007
【図７】
0003981812.tif 000008
【図８】
0003981812.tif 000009